【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】燃料タンク内の液化ガス燃料を燃料ポンプにより燃料供給経路を介して内燃機関の燃料供給部位へ液体状態で供給する液化ガス燃料供給装置であって、
内燃機関の停止期間中は前記燃料供給経路に２つの遮断弁を備えて該２つの遮断弁間を貯留部位とし、内燃機関の停止時に、前記貯留部位に存在する液化ガス燃料が加圧液体状態にある時に前記２つの遮断弁を閉状態とすることで、前記貯留部位に液化ガス燃料を加圧液体状態で貯留しておき、内燃機関の始動時に前記貯留部位の液化ガス燃料を開放する加圧貯留手段を備えたことを特徴とする液化ガス燃料供給装置。
【請求項２】燃料タンク内の液化ガス燃料を燃料ポンプにより燃料供給経路を介して、内燃機関の燃料噴射弁に燃料を供給するデリバリパイプへ液体状態で供給する液化ガス燃料供給装置であって、
前記燃料供給経路と、前記デリバリパイプから前記燃料タンクに液化ガス燃料を戻すリターン経路とに、それぞれ遮断弁を備えて、内燃機関の停止期間中は該２つの遮断弁間を貯留部位とし、内燃機関の停止時に、前記貯留部位に存在する液化ガス燃料が加圧液体状態にある時に前記２つの遮断弁を閉状態とすることで、前記貯留部位に液化ガス燃料を加圧液体状態で貯留しておき、内燃機関の始動時に前記貯留部位の液化ガス燃料を開放する加圧貯留手段を備えたことを特徴とする液化ガス燃料供給装置。
【請求項３】請求項１又は２記載の構成において、前記加圧貯留手段は、内燃機関の停止時に、前記貯留部位の燃料上流側に配置された遮断弁を開状態とし前記貯留部位の燃料下流側に配置された遮断弁を閉状態として前記燃料ポンプの駆動を一時的に実行した後に前記貯留部位の燃料上流側に配置された遮断弁を閉じることで、前記貯留部位に液化ガス燃料を加圧液体状態で貯留することを特徴とする液化ガス燃料供給装置。
【請求項４】請求項１又は２記載の構成に対して、前記貯留部位の燃料圧力を検出する貯留燃料圧力検出手段を備え、
前記加圧貯留手段は、内燃機関の停止時に、前記貯留部位の燃料上流側に配置された遮断弁を開状態とし前記貯留部位の燃料下流側に配置された遮断弁を閉状態として前記貯留燃料圧力検出手段にて検出される燃料圧力が貯留圧力に到達するまで前記燃料ポンプの駆動を実行した後に前記貯留部位の燃料上流側に配置された遮断弁を閉じることで、前記貯留部位に液化ガス燃料を加圧液体状態で貯留することを特徴とする液化ガス燃料供給装置。
【請求項５】燃料タンク内の液化ガス燃料を燃料ポンプにより燃料供給経路を介して内燃機関の燃料供給部位へ液体状態で供給する液化ガス燃料供給装置であって、
前記燃料供給経路に遮断弁を備え、前記燃料供給部位から前記燃料タンクに液化ガス燃料を戻すリターン経路にプレッシャレギュレータが設けられ、内燃機関の停止期間中は該遮断弁と該プレッシャレギュレータとの間を貯留部位とし、内燃機関の停止時に、前記貯留部位に存在する液化ガス燃料が加圧液体状態にある時に前記遮断弁を閉じることで、前記貯留部位に液化ガス燃料を加圧液体状態で貯留しておき、内燃機関の始動時に前記貯留部位の液化ガス燃料を開放する加圧貯留手段を備えたことを特徴とする液化ガス燃料供給装置。
【請求項６】請求項５記載の構成において、前記加圧貯留手段は、内燃機関の停止時に、前記燃料ポンプの駆動を一時的に実行した後に前記遮断弁を閉じることで、前記貯留部位に液化ガス燃料を加圧液体状態で貯留することを特徴とする液化ガス燃料供給装置。
【請求項７】請求項５記載の構成に対して、前記貯留部位の燃料圧力を検出する貯留燃料圧力検出手段を備え、
前記加圧貯留手段は、内燃機関の停止時に、前記貯留燃料圧力検出手段にて検出される圧力が前記プレッシャレギュレータの設定圧又は該設定圧直前の圧力に到達するまで前記燃料ポンプの駆動を実行した後に前記遮断弁を閉じることで、前記貯留部位に液化ガス燃料を加圧液体状態で貯留することを特徴とする液化ガス燃料供給装置。
【請求項８】請求項１〜４のいずれか記載の構成に対して、
前記貯留部位の燃料圧力を検出する貯留燃料圧力検出手段と、
前記貯留部位に液化ガス燃料を加圧液体状態で貯留している期間において、前記貯留燃料圧力検出手段により検出される燃料圧力に応じて前記遮断弁の少なくとも１つを開閉制御する減圧手段と、
を備えたことを特徴とする液化ガス燃料供給装置。
【請求項９】請求項８記載の構成において、前記減圧手段は、前記貯留燃料圧力検出手段により検出される燃料圧力が設定上限圧力より高い場合には前記遮断弁を開制御し、前記燃料圧力が設定上限圧力より低い場合には前記遮断弁を閉制御することを特徴とする液化ガス燃料供給装置。
【請求項１０】請求項１〜７のいずれか記載の構成に対して、
前記貯留部位の燃料圧力を検出する貯留燃料圧力検出手段と、
前記貯留部位に液化ガス燃料を加圧液体状態で貯留している期間において、前記貯留燃料圧力検出手段により検出される燃料圧力が設定下限圧力より低い場合には前記貯留部位の燃料上流側に配置された遮断弁の開制御と前記燃料ポンプの駆動制御とを行い、前記燃料圧力が設定下限圧力より高い場合には前記貯留部位の燃料上流側に配置された遮断弁の閉制御と前記燃料ポンプの駆動停止制御とを行う増圧手段と、
を備えたことを特徴とする液化ガス燃料供給装置。
【請求項１１】請求項１〜４のいずれか記載の構成に対して、
前記貯留部位の燃料圧力を検出する貯留燃料圧力検出手段と、
前記貯留部位に液化ガス燃料を加圧液体状態で貯留している期間において、前記貯留燃料圧力検出手段により検出される燃料圧力が設定上限圧力より高い場合には前記遮断弁の少なくとも１つを開制御し、前記燃料圧力が設定上限圧力より低い場合には閉制御する減圧手段と、
前記貯留部位に液化ガス燃料を加圧液体状態で貯留している期間において、前記貯留燃料圧力検出手段により検出される燃料圧力が設定下限圧力より低い場合には前記貯留部位の燃料上流側に配置された遮断弁の開制御と前記燃料ポンプの駆動制御とを行い、前記燃料圧力が設定下限圧力より高い場合には前記貯留部位の燃料上流側に配置された遮断弁の閉制御と前記燃料ポンプの駆動停止制御とを行う増圧手段と、
を備えたことを特徴とする液化ガス燃料供給装置。
【請求項１２】請求項１〜１１のいずれか記載の構成において、前記加圧貯留手段は、内燃機関の始動時に、前記燃料ポンプを予め駆動させることにより前記燃料ポンプの供給燃料圧力を高めた後に全ての遮断弁を開状態として前記貯留部位の液化ガス燃料を開放することを特徴とする液化ガス燃料供給装置。
【請求項１３】請求項１２記載の構成に対して、前記燃料ポンプの供給燃料圧力を検出する供給燃料圧力検出手段を備え、
前記加圧貯留手段は、内燃機関の始動時に、前記燃料ポンプを予め駆動させることで前記供給燃料圧力検出手段により検出される燃料圧力が前記貯留圧力に到達した後に全ての遮断弁を開状態として前記貯留部位の液化ガス燃料を開放することを特徴とする液化ガス燃料供給装置。
【請求項１４】請求項１２記載の構成に対して、
前記燃料ポンプの供給燃料圧力を検出する供給燃料圧力検出手段と、
前記貯留部位の燃料圧力を検出する貯留燃料圧力検出手段と、
を備え、
前記加圧貯留手段は、内燃機関の始動時に、前記燃料ポンプを予め駆動させることで前記供給燃料圧力検出手段により検出される供給燃料圧力が前記貯留燃料圧力検出手段により検出される燃料圧力に到達した後に全ての遮断弁を開状態として前記貯留部位の液化ガス燃料を開放することを特徴とする液化ガス燃料供給装置。
【請求項１５】燃料タンク内の液化ガス燃料を燃料ポンプにより燃料供給経路を介して内燃機関の燃料供給部位へ液体状態で供給する液化ガス燃料供給装置であって、
前記燃料供給経路の前記燃料ポンプ側に該燃料ポンプ側への逆流を阻止するチェック弁を、前記燃料供給経路の前記燃料供給部位側に遮断弁を備え、内燃機関の停止期間中は該チェック弁と該遮断弁との間を貯留部位とし、内燃機関の停止時に、前記貯留部位に存在する液化ガス燃料が加圧液体状態にある時に前記遮断弁を閉状態とすることで、前記貯留部位に液化ガス燃料を加圧液体状態で貯留しておき、内燃機関の始動時に前記貯留部位の液化ガス燃料を開放する加圧貯留手段を備えたことを特徴とする液化ガス燃料供給装置。
【請求項１６】燃料タンク内の液化ガス燃料を燃料ポンプにより燃料供給経路を介して内燃機関の燃料供給部位へ液体状態で供給する液化ガス燃料供給装置であって、
前記燃料供給経路に前記燃料ポンプ側への逆流を阻止するチェック弁を、前記燃料供給部位から前記燃料タンクに液化ガス燃料を戻すリターン経路に遮断弁を備え、内燃機関の停止期間中は該チェック弁と該遮断弁との間を貯留部位とし、内燃機関の停止時に、前記貯留部位に存在する液化ガス燃料が加圧液体状態にある時に前記遮断弁を閉じることで、前記貯留部位に液化ガス燃料を加圧液体状態で貯留しておき、内燃機関の始動時に前記貯留部位の液化ガス燃料を開放する加圧貯留手段を備えたことを特徴とする液化ガス燃料供給装置。
【請求項１７】請求項１５又は１６記載の構成において、前記加圧貯留手段は、内燃機関の停止時に、前記遮断弁を閉じると共に前記燃料ポンプの駆動を一時的に実行することで、前記貯留部位に液化ガス燃料を加圧液体状態で貯留することを特徴とする液化ガス燃料供給装置。
【請求項１８】請求項１５又は１６記載の構成に対して、前記貯留部位の燃料圧力を検出する貯留燃料圧力検出手段を備え、
前記加圧貯留手段は、内燃機関の停止時に、前記遮断弁を閉じると共に前記貯留燃料圧力検出手段にて検出される圧力が貯留圧力に到達するまで前記燃料ポンプの駆動を実行することで、前記貯留部位に液化ガス燃料を加圧液体状態で貯留することを特徴とする液化ガス燃料供給装置。
【請求項１９】請求項１５〜１８のいずれか記載の構成に対して、
前記貯留部位の燃料圧力を検出する貯留燃料圧力検出手段と、
前記貯留部位に液化ガス燃料を加圧液体状態で貯留している期間において、前記貯留燃料圧力検出手段により検出される燃料圧力に応じて前記遮断弁を開閉制御する減圧手段と、
を備えたことを特徴とする液化ガス燃料供給装置。
【請求項２０】請求項１９記載の構成において、前記減圧手段は、前記貯留燃料圧力検出手段により検出される燃料圧力が設定上限圧力より高い場合には前記遮断弁を開制御し、前記燃料圧力が設定上限圧力より低い場合には前記遮断弁を閉制御することを特徴とする液化ガス燃料供給装置。
【請求項２１】請求項１５〜１８のいずれか記載の構成に対して、
前記貯留部位の燃料圧力を検出する貯留燃料圧力検出手段と、
前記貯留部位に液化ガス燃料を加圧液体状態で貯留している期間において、前記貯留燃料圧力検出手段により検出される燃料圧力が設定下限圧力より低い場合には前記燃料ポンプの駆動制御を行い、前記燃料圧力が設定下限圧力より高い場合には前記燃料ポンプの駆動停止制御を行う増圧手段と、
を備えたことを特徴とする液化ガス燃料供給装置。
【請求項２２】請求項１５〜１８のいずれか記載の構成に対して、
前記貯留部位の燃料圧力を検出する貯留燃料圧力検出手段と、
前記貯留部位に液化ガス燃料を加圧液体状態で貯留している期間において、前記貯留燃料圧力検出手段により検出される燃料圧力が設定上限圧力より高い場合には前記遮断弁を開制御し、前記燃料圧力が設定上限圧力より低い場合には前記遮断弁を閉制御する減圧手段と、
前記貯留部位に液化ガス燃料を加圧液体状態で貯留している期間において、前記貯留燃料圧力検出手段により検出される燃料圧力が設定下限圧力より低い場合には前記燃料ポンプの駆動制御を行い、前記燃料圧力が設定下限圧力より高い場合には前記燃料ポンプの駆動停止制御を行う増圧手段と、
を備えたことを特徴とする液化ガス燃料供給装置。
【請求項２３】請求項１５〜２２のいずれか記載の構成において、前記加圧貯留手段は、内燃機関の始動時に、前記燃料ポンプを予め駆動させることにより、前記燃料ポンプの供給燃料圧力を高めた後に前記遮断弁を開状態として前記貯留部位の液化ガス燃料を開放することを特徴とする液化ガス燃料供給装置。
【請求項２４】請求項２３記載の構成に対して、前記燃料ポンプの供給燃料圧力を検出する供給燃料圧力検出手段を備え、
前記加圧貯留手段は、内燃機関の始動時に、前記燃料ポンプを予め駆動させることで前記供給燃料圧力検出手段により検出される燃料圧力が前記貯留圧力に到達した後に前記遮断弁を開状態として前記貯留部位の液化ガス燃料を開放することを特徴とする液化ガス燃料供給装置。
【請求項２５】請求項２３記載の構成に対して、前記貯留部位の燃料圧力を検出する貯留燃料圧力検出手段を備え、
前記加圧貯留手段は、内燃機関の始動時に、前記燃料ポンプを予め駆動させることで前記貯留燃料圧力検出手段により検出される燃料圧力が上昇した場合に前記遮断弁を開状態として前記貯留部位の液化ガス燃料を開放することを特徴とする液化ガス燃料供給装置。
【請求項２６】請求項２３記載の構成に対して、
前記燃料ポンプの供給燃料圧力を検出する供給燃料圧力検出手段と、
前記貯留部位の燃料圧力を検出する貯留燃料圧力検出手段と、
を備え、
前記加圧貯留手段は、内燃機関の始動時に、前記燃料ポンプを予め駆動させることで前記供給燃料圧力検出手段により検出される供給燃料圧力が前記貯留燃料圧力検出手段により検出される燃料圧力に到達した後に前記遮断弁を開状態として前記貯留部位の液化ガス燃料を開放することを特徴とする液化ガス燃料供給装置。
【請求項２７】燃料タンク内の液化ガス燃料を燃料ポンプにより燃料供給経路を介して内燃機関の燃料供給部位へ液体状態で供給する液化ガス燃料供給装置であって、
内燃機関の停止期間中は前記燃料供給経路から前記燃料供給部位までの一部又は全部を含んで設けられた貯留部位に液化ガス燃料を加圧液体状態で貯留しておき、前記貯留部位に貯留された燃料の圧力が所定圧力以上となった場合に前記貯留部位に貯留された燃料の一部を燃料タンクに排出することを特徴とする液化ガス燃料供給装置。
【請求項２８】請求項２７記載の構成において、前記燃料供給経路に２つの遮断弁を備えて該２つの遮断弁間を前記貯留部位とし、内燃機関の停止時に、前記貯留部位に存在する液化ガス燃料が加圧液体状態にある時に前記２つの遮断弁を閉状態とすることで、前記貯留部位に液化ガス燃料を加圧液体状態で貯留することを特徴とする液化ガス燃料供給装置。
【請求項２９】請求項２８記載の構成において、内燃機関の停止時に、前記貯留部位の燃料上流側に配置された遮断弁を開状態とし前記貯留部位の燃料下流側に配置された遮断弁を閉状態として前記燃料ポンプの駆動を一時的に実行した後に前記貯留部位の燃料上流側に配置された遮断弁を閉じることで、前記貯留部位に液化ガス燃料を加圧液体状態で貯留することを特徴とする液化ガス燃料供給装置。
【請求項３０】請求項２８記載の構成に対して、前記貯留部位の燃料圧力を検出する貯留燃料圧力検出手段を備え、
内燃機関の停止時に、前記貯留部位の燃料上流側に配置された遮断弁を開状態とし前記貯留部位の燃料下流側に配置された遮断弁を閉状態として前記貯留燃料圧力検出手段にて検出される燃料圧力が貯留圧力に到達するまで前記燃料ポンプの駆動を実行した後に前記貯留部位の燃料上流側に配置された遮断弁を閉じることで、前記貯留部位に液化ガス燃料を加圧液体状態で貯留することを特徴とする液化ガス燃料供給装置。
【請求項３１】請求項２７記載の構成において、前記燃料供給経路に遮断弁を備え、前記燃料供給部位から前記燃料タンクに液化ガス燃料を戻すリターン経路にプレッシャレギュレータが設けられ、内燃機関の停止期間中は該遮断弁と該プレッシャレギュレータとの間を貯留部位とし、内燃機関の停止時に、前記貯留部位に存在する液化ガス燃料が加圧液体状態にある時に前記遮断弁を閉状態とすることで、前記貯留部位に液化ガス燃料を加圧液体状態で貯留することを特徴とする液化ガス燃料供給装置。
【請求項３２】請求項３１記載の構成において、内燃機関の停止時に、前記遮断弁を開状態として前記燃料ポンプの駆動を一時的に実行した後に前記遮断弁を閉じることで、前記貯留部位に液化ガス燃料を加圧液体状態で貯留することを特徴とする液化ガス燃料供給装置。
【請求項３３】請求項３１記載の構成に対して、前記貯留部位の燃料圧力を検出する貯留燃料圧力検出手段を備え、
内燃機関の停止時に、前記遮断弁を開状態として前記貯留燃料圧力検出手段にて検出される燃料圧力が貯留圧力に到達するまで前記燃料ポンプの駆動を実行した後に前記遮断弁を閉じることで、前記貯留部位に液化ガス燃料を加圧液体状態で貯留することを特徴とする液化ガス燃料供給装置。
【請求項３４】請求項２８〜３３のいずれか記載の構成において、内燃機関の始動時に、前記燃料ポンプを予め駆動させることにより前記燃料ポンプの供給燃料圧力を高めた後に全ての遮断弁を開状態として前記貯留部位の液化ガス燃料を開放することを特徴とする液化ガス燃料供給装置。
【請求項３５】請求項３４記載の構成に対して、前記燃料ポンプの供給燃料圧力を検出する供給燃料圧力検出手段を備え、
内燃機関の始動時に、前記燃料ポンプを予め駆動させることで前記供給燃料圧力検出手段により検出される燃料圧力が前記貯留圧力に到達した後に全ての遮断弁を開状態として前記貯留部位の液化ガス燃料を開放することを特徴とする液化ガス燃料供給装置。
【請求項３６】請求項３４記載の構成に対して、
前記燃料ポンプの供給燃料圧力を検出する供給燃料圧力検出手段と、
前記貯留部位の燃料圧力を検出する貯留燃料圧力検出手段と、
を備え、
内燃機関の始動時に、前記燃料ポンプを予め駆動させることで前記供給燃料圧力検出手段により検出される供給燃料圧力が前記貯留燃料圧力検出手段により検出される燃料圧力に到達した後に全ての遮断弁を開状態として前記貯留部位の液化ガス燃料を開放することを特徴とする液化ガス燃料供給装置。
【手続補正２】
【補正対象書類名】明細書
【補正対象項目名】０００７
【補正方法】変更
【補正の内容】
【０００７】
【課題を解決するための手段】
以下、上記目的を達成するための手段及びその作用効果について記載する。
請求項１記載の液化ガス燃料供給装置は、燃料タンク内の液化ガス燃料を燃料ポンプにより燃料供給経路を介して内燃機関の燃料供給部位へ液体状態で供給する液化ガス燃料供給装置であって、内燃機関の停止期間中は前記燃料供給経路に２つの遮断弁を備えて該２つの遮断弁間を貯留部位とし、内燃機関の停止時に、前記貯留部位に存在する液化ガス燃料が加圧液体状態にある時に前記２つの遮断弁を閉状態とすることで、前記貯留部位に液化ガス燃料を加圧液体状態で貯留しておき、内燃機関の始動時に前記貯留部位の液化ガス燃料を開放する加圧貯留手段を備えたことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
このように始動時において早期に噴射燃料を正確に調量できるようになり、内燃機関の始動性を向上させることができる。
【手続補正６】
【補正対象書類名】明細書
【補正対象項目名】００１２
【補正方法】変更
【補正の内容】
【００１２】
このように貯留部位に存在する液化ガス燃料が加圧液体状態にある時に２つの遮断弁を閉じることにより、貯留部位に液化ガス燃料を加圧液体状態で貯留することができる。そして始動時には２つの遮断弁は元に戻すことにより貯留部位に存在する液化ガス燃料を開放して燃料供給部位側へ供給できる。
【手続補正７】
【補正対象書類名】明細書
【補正対象項目名】００１３
【補正方法】変更
【補正の内容】
【００１３】
このようにして迅速に燃料供給部位の液体燃料を噴射可能な燃料圧力とすることができ、始動時に早期に燃料の調量は正確なものとなる。したがって内燃機関の始動性を向上させることができる。しかも、貯留部位は燃料供給経路を利用しているため、装置が大型化しない。
【手続補正８】
【補正対象書類名】明細書
【補正対象項目名】００１４
【補正方法】変更
【補正の内容】
【００１４】
請求項２記載の液化ガス燃料供給装置では、燃料タンク内の液化ガス燃料を燃料ポンプにより燃料供給経路を介して、内燃機関の燃料噴射弁に燃料を供給するデリバリパイプへ液体状態で供給する液化ガス燃料供給装置であって、前記燃料供給経路と、前記デリバリパイプから前記燃料タンクに液化ガス燃料を戻すリターン経路とに、それぞれ遮断弁を備えて、内燃機関の停止期間中は該２つの遮断弁間を貯留部位とし、内燃機関の停止時に、前記貯留部位に存在する液化ガス燃料が加圧液体状態にある時に前記２つの遮断弁を閉状態とすることで、前記貯留部位に液化ガス燃料を加圧液体状態で貯留しておき、内燃機関の始動時に前記貯留部位の液化ガス燃料を開放する加圧貯留手段を備えたことを特徴とする。
【手続補正９】
【補正対象書類名】明細書
【補正対象項目名】００１６
【補正方法】変更
【補正の内容】
【００１６】
このようにして前記請求項１にて述べたごとく迅速に燃料供給部位の液体燃料を噴射可能な燃料圧力とすることができる。しかもデリバリパイプが貯留部位に含まれていることから始動時初期から液体燃料が内燃機関のデリバリパイプに存在するので燃料の調量は一層正確なものとなる。したがって内燃機関の始動性を一層向上させることができる。しかも、貯留部位は燃料供給経路からリターン経路まで燃料経路を利用しているため、装置が大型化しない。
【手続補正１０】
【補正対象書類名】明細書
【補正対象項目名】００１７
【補正方法】変更
【補正の内容】
【００１７】
請求項３記載の液化ガス燃料供給装置では、請求項１又は２記載の構成において、前記加圧貯留手段は、内燃機関の停止時に、前記貯留部位の燃料上流側に配置された遮断弁を開状態とし前記貯留部位の燃料下流側に配置された遮断弁を閉状態として前記燃料ポンプの駆動を一時的に実行した後に前記貯留部位の燃料上流側に配置された遮断弁を閉じることで、前記貯留部位に液化ガス燃料を加圧液体状態で貯留することを特徴とする。
【手続補正１１】
【補正対象書類名】明細書
【補正対象項目名】００１９
【補正方法】変更
【補正の内容】
【００１９】
請求項４記載の液化ガス燃料供給装置では、請求項１又は２記載の構成に対して、前記貯留部位の燃料圧力を検出する貯留燃料圧力検出手段を備え、前記加圧貯留手段は、内燃機関の停止時に、前記貯留部位の燃料上流側に配置された遮断弁を開状態とし前記貯留部位の燃料下流側に配置された遮断弁を閉状態として前記貯留燃料圧力検出手段にて検出される燃料圧力が貯留圧力に到達するまで前記燃料ポンプの駆動を実行した後に前記貯留部位の燃料上流側に配置された遮断弁を閉じることで、前記貯留部位に液化ガス燃料を加圧液体状態で貯留することを特徴とする。
【手続補正１２】
【補正対象書類名】明細書
【補正対象項目名】００２１
【補正方法】変更
【補正の内容】
【００２１】
請求項５記載の液化ガス燃料供給装置では、燃料タンク内の液化ガス燃料を燃料ポンプにより燃料供給経路を介して内燃機関の燃料供給部位へ液体状態で供給する液化ガス燃料供給装置であって、前記燃料供給経路に遮断弁を備え、前記燃料供給部位から前記燃料タンクに液化ガス燃料を戻すリターン経路にプレッシャレギュレータが設けられ、内燃機関の停止期間中は該遮断弁と該プレッシャレギュレータとの間を貯留部位とし、内燃機関の停止時に、該貯留部位に存在する液化ガス燃料が加圧液体状態にある時に前記遮断弁を閉じることで、前記貯留部位に液化ガス燃料を加圧液体状態で貯留しておき、内燃機関の始動時に前記貯留部位の液化ガス燃料を開放する加圧貯留手段を備えたことを特徴とする。
【手続補正１３】
【補正対象書類名】明細書
【補正対象項目名】００２３
【補正方法】変更
【補正の内容】
【００２３】
このようにして前記請求項１にて述べたごとく迅速に液体燃料を噴射可能な燃料圧力とすることができる。しかも燃料供給部位自体が貯留部位に含まれていることから、内燃機関始動の初期から加圧液体状態の液化ガス燃料に満たされているので、一層、早期に正確な燃料調量が可能となる。したがって内燃機関の始動性を一層向上させることができる。しかも、貯留部位は燃料供給経路からリターン経路まで燃料経路を利用しているため、装置が大型化しない。又、一方が既にあるプレッシャレギュレータを利用できるので、２つの遮断弁を用いた場合よりも製造コストが低減できる。
【手続補正１４】
【補正対象書類名】明細書
【補正対象項目名】００２４
【補正方法】変更
【補正の内容】
【００２４】
請求項６記載の液化ガス燃料供給装置では、請求項５記載の構成において、前記加圧貯留手段は、内燃機関の停止時に、前記燃料ポンプの駆動を一時的に実行した後に前記遮断弁を閉じることで、前記貯留部位に液化ガス燃料を加圧液体状態で貯留することを特徴とする。
【手続補正１５】
【補正対象書類名】明細書
【補正対象項目名】００２６
【補正方法】変更
【補正の内容】
【００２６】
請求項７記載の液化ガス燃料供給装置では、請求項５記載の構成に対して、前記貯留部位の燃料圧力を検出する貯留燃料圧力検出手段を備え、前記加圧貯留手段は、内燃機関の停止時に、前記貯留燃料圧力検出手段にて検出される圧力が前記プレッシャレギュレータの設定圧又は該設定圧直前の圧力に到達するまで前記燃料ポンプの駆動を実行した後に前記遮断弁を閉じることで、前記貯留部位に液化ガス燃料を加圧液体状態で貯留することを特徴とする。
【手続補正１６】
【補正対象書類名】明細書
【補正対象項目名】００２８
【補正方法】変更
【補正の内容】
【００２８】
請求項８記載の液化ガス燃料供給装置では、請求項１〜４のいずれか記載の構成に対して、前記貯留部位の燃料圧力を検出する貯留燃料圧力検出手段と、前記貯留部位に液化ガス燃料を加圧液体状態で貯留している期間において、前記貯留燃料圧力検出手段により検出される燃料圧力に応じて前記遮断弁の少なくとも１つを開閉制御する減圧手段とを備えたことを特徴とする。
【手続補正１７】
【補正対象書類名】明細書
【補正対象項目名】００３０
【補正方法】変更
【補正の内容】
【００３０】
請求項９記載の液化ガス燃料供給装置では、請求項８記載の構成において、前記減圧手段は、前記貯留燃料圧力検出手段により検出される燃料圧力が設定上限圧力より高い場合には前記遮断弁を開制御し、前記燃料圧力が設定上限圧力より低い場合には前記遮断弁を閉制御することを特徴とする。
【手続補正１８】
【補正対象書類名】明細書
【補正対象項目名】００３２
【補正方法】変更
【補正の内容】
【００３２】
請求項１０記載の液化ガス燃料供給装置では、請求項１〜７のいずれか記載の構成に対して、前記貯留部位の燃料圧力を検出する貯留燃料圧力検出手段と、前記貯留部位に液化ガス燃料を加圧液体状態で貯留している期間において、前記貯留燃料圧力検出手段により検出される燃料圧力が設定下限圧力より低い場合には前記貯留部位の燃料上流側に配置された遮断弁の開制御と前記燃料ポンプの駆動制御とを行い、前記燃料圧力が設定下限圧力より高い場合には前記貯留部位の燃料上流側に配置された遮断弁の閉制御と前記燃料ポンプの駆動停止制御とを行う増圧手段とを備えたことを特徴とする。
【手続補正１９】
【補正対象書類名】明細書
【補正対象項目名】００３４
【補正方法】変更
【補正の内容】
【００３４】
請求項１１記載の液化ガス燃料供給装置では、請求項１〜４のいずれか記載の構成に対して、前記貯留部位の燃料圧力を検出する貯留燃料圧力検出手段と、前記貯留部位に液化ガス燃料を加圧液体状態で貯留している期間において、前記貯留燃料圧力検出手段により検出される燃料圧力が設定上限圧力より高い場合には前記遮断弁の少なくとも１つを開制御し、前記燃料圧力が設定上限圧力より低い場合には閉制御する減圧手段と、前記貯留部位に液化ガス燃料を加圧液体状態で貯留している期間において、前記貯留燃料圧力検出手段により検出される燃料圧力が設定下限圧力より低い場合には前記貯留部位の燃料上流側に配置された遮断弁の開制御と前記燃料ポンプの駆動制御とを行い、前記燃料圧力が設定下限圧力より高い場合には前記貯留部位の燃料上流側に配置された遮断弁の閉制御と前記燃料ポンプの駆動停止制御とを行う増圧手段とを備えたことを特徴とする。
【手続補正２０】
【補正対象書類名】明細書
【補正対象項目名】００３７
【補正方法】変更
【補正の内容】
【００３７】
請求項１２記載の液化ガス燃料供給装置では、請求項１〜１１のいずれか記載の構成において、前記加圧貯留手段は、内燃機関の始動時に、前記燃料ポンプを予め駆動させることにより前記燃料ポンプの供給燃料圧力を高めた後に全ての遮断弁を開状態として前記貯留部位の液化ガス燃料を開放することを特徴とする。
【手続補正２１】
【補正対象書類名】明細書
【補正対象項目名】００３９
【補正方法】変更
【補正の内容】
【００３９】
請求項１３記載の液化ガス燃料供給装置では、請求項１２記載の構成に対して、前記燃料ポンプの供給燃料圧力を検出する供給燃料圧力検出手段を備え、前記加圧貯留手段は、内燃機関の始動時に、前記燃料ポンプを予め駆動させることで前記供給燃料圧力検出手段により検出される燃料圧力が前記貯留圧力に到達した後に全ての遮断弁を開状態として前記貯留部位の液化ガス燃料を開放することを特徴とする。
【手続補正２２】
【補正対象書類名】明細書
【補正対象項目名】００４１
【補正方法】変更
【補正の内容】
【００４１】
請求項１４記載の液化ガス燃料供給装置では、請求項１２記載の構成に対して、前記燃料ポンプの供給燃料圧力を検出する供給燃料圧力検出手段と、前記貯留部位の燃料圧力を検出する貯留燃料圧力検出手段とを備え、前記加圧貯留手段は、内燃機関の始動時に、前記燃料ポンプを予め駆動させることで前記供給燃料圧力検出手段により検出される供給燃料圧力が前記貯留燃料圧力検出手段により検出される燃料圧力に到達した後に全ての遮断弁を開状態として前記貯留部位の液化ガス燃料を開放することを特徴とする。
【手続補正２３】
【補正対象書類名】明細書
【補正対象項目名】００４３
【補正方法】変更
【補正の内容】
【００４３】
請求項１５記載の液化ガス燃料供給装置では、燃料タンク内の液化ガス燃料を燃料ポンプにより燃料供給経路を介して内燃機関の燃料供給部位へ液体状態で供給する液化ガス燃料供給装置であって、前記燃料供給経路の前記燃料ポンプ側に該燃料ポンプ側への逆流を阻止するチェック弁を、前記燃料供給経路の前記燃料供給部位側に遮断弁を備え、内燃機関の停止期間中は該チェック弁と該遮断弁との間を貯留部位とし、内燃機関の停止時に、前記貯留部位に存在する液化ガス燃料が加圧液体状態にある時に前記遮断弁を閉状態とすることで、前記貯留部位に液化ガス燃料を加圧液体状態で貯留しておき、内燃機関の始動時に前記貯留部位の液化ガス燃料を開放する加圧貯留手段を備えたことを特徴とする。
【手続補正２４】
【補正対象書類名】明細書
【補正対象項目名】００４５
【補正方法】変更
【補正の内容】
【００４５】
このようにして前記請求項１にて述べたごとく迅速に液体燃料を噴射可能な燃料圧力とすることができ、貯留部位の加圧液体状態の燃料の供給により始動時の早期に燃料の調量は正確なものとなる。したがって内燃機関の始動性を向上させることができる。しかも貯留部位は燃料供給経路を利用しているため、装置が大型化しない。又、一方がチェック弁であるので、２つの遮断弁を用いた場合よりも製造コストが低減できる。
【手続補正２５】
【補正対象書類名】明細書
【補正対象項目名】００４６
【補正方法】変更
【補正の内容】
【００４６】
請求項１６記載の液化ガス燃料供給装置では、燃料タンク内の液化ガス燃料を燃料ポンプにより燃料供給経路を介して内燃機関の燃料供給部位へ液体状態で供給する液化ガス燃料供給装置であって、前記燃料供給経路に前記燃料ポンプ側への逆流を阻止するチェック弁を、前記燃料供給部位から前記燃料タンクに液化ガス燃料を戻すリターン経路に遮断弁を備え、内燃機関の停止期間中は該チェック弁と該遮断弁との間を貯留部位とし、内燃機関の停止時に、前記貯留部位に存在する液化ガス燃料が加圧液体状態にある時に前記遮断弁を閉じることで、前記貯留部位に液化ガス燃料を加圧液体状態で貯留しておき、内燃機関の始動時に前記貯留部位の液化ガス燃料を開放する加圧貯留手段を備えたことを特徴とする。
【手続補正２６】
【補正対象書類名】明細書
【補正対象項目名】００４８
【補正方法】変更
【補正の内容】
【００４８】
このようにして前記請求項１にて述べたごとく迅速に液体燃料を噴射可能な燃料圧力とすることができる。しかも燃料供給部位自体が貯留部位に含まれていることから、始動時初期から燃料の調量は正確なものとなる。したがって内燃機関の始動性を一層向上させることができる。しかも、貯留部位は燃料供給経路からリターン経路まで燃料経路を利用しているため、装置が大型化しない。又、一方がチェック弁であるので、２つの遮断弁を用いた場合よりも製造コストが低減できる。
【手続補正２７】
【補正対象書類名】明細書
【補正対象項目名】００４９
【補正方法】変更
【補正の内容】
【００４９】
請求項１７記載の液化ガス燃料供給装置では、請求項１５又は１６記載の構成において、前記加圧貯留手段は、内燃機関の停止時に、前記遮断弁を閉じると共に前記燃料ポンプの駆動を一時的に実行することで、前記貯留部位に液化ガス燃料を加圧液体状態で貯留することを特徴とする。
【手続補正２８】
【補正対象書類名】明細書
【補正対象項目名】００５１
【補正方法】変更
【補正の内容】
【００５１】
請求項１８記載の液化ガス燃料供給装置では、請求項１５又は１６記載の構成に対して、前記貯留部位の燃料圧力を検出する貯留燃料圧力検出手段を備え、前記加圧貯留手段は、内燃機関の停止時に、前記遮断弁を閉じると共に前記貯留燃料圧力検出手段にて検出される圧力が貯留圧力に到達するまで前記燃料ポンプの駆動を実行することで、前記貯留部位に液化ガス燃料を加圧液体状態で貯留することを特徴とする。
【手続補正２９】
【補正対象書類名】明細書
【補正対象項目名】００５３
【補正方法】変更
【補正の内容】
【００５３】
請求項１９記載の液化ガス燃料供給装置では、請求項１５〜１８のいずれか記載の構成に対して、前記貯留部位の燃料圧力を検出する貯留燃料圧力検出手段と、前記貯留部位に液化ガス燃料を加圧液体状態で貯留している期間において、前記貯留燃料圧力検出手段により検出される燃料圧力に応じて前記遮断弁を開閉制御する減圧手段とを備えたことを特徴とする。
【手続補正３０】
【補正対象書類名】明細書
【補正対象項目名】００５５
【補正方法】変更
【補正の内容】
【００５５】
請求項２０記載の液化ガス燃料供給装置では、請求項１９記載の構成において、前記減圧手段は、前記貯留燃料圧力検出手段により検出される燃料圧力が設定上限圧力より高い場合には前記遮断弁を開制御し、前記燃料圧力が設定上限圧力より低い場合には前記遮断弁を閉制御することを特徴とする。
【手続補正３１】
【補正対象書類名】明細書
【補正対象項目名】００５７
【補正方法】変更
【補正の内容】
【００５７】
請求項２１記載の液化ガス燃料供給装置では、請求項１５〜１８のいずれか記載の構成に対して、前記貯留部位の燃料圧力を検出する貯留燃料圧力検出手段と、前記貯留部位に液化ガス燃料を加圧液体状態で貯留している期間において、前記貯留燃料圧力検出手段により検出される燃料圧力が設定下限圧力より低い場合には前記燃料ポンプの駆動制御を行い、前記燃料圧力が設定下限圧力より高い場合には前記燃料ポンプの駆動停止制御を行う増圧手段とを備えたことを特徴とする。
【手続補正３２】
【補正対象書類名】明細書
【補正対象項目名】００５９
【補正方法】変更
【補正の内容】
【００５９】
請求項２２記載の液化ガス燃料供給装置では、請求項１５〜１８のいずれか記載の構成に対して、前記貯留部位の燃料圧力を検出する貯留燃料圧力検出手段と、前記貯留部位に液化ガス燃料を加圧液体状態で貯留している期間において、前記貯留燃料圧力検出手段により検出される燃料圧力が設定上限圧力より高い場合には前記遮断弁を開制御し、前記燃料圧力が設定上限圧力より低い場合には前記遮断弁を閉制御する減圧手段と、前記貯留部位に液化ガス燃料を加圧液体状態で貯留している期間において、前記貯留燃料圧力検出手段により検出される燃料圧力が設定下限圧力より低い場合には前記燃料ポンプの駆動制御を行い、前記燃料圧力が設定下限圧力より高い場合には前記燃料ポンプの駆動停止制御を行う増圧手段とを備えたことを特徴とする。
【手続補正３３】
【補正対象書類名】明細書
【補正対象項目名】００６２
【補正方法】変更
【補正の内容】
【００６２】
請求項２３記載の液化ガス燃料供給装置では、請求項１５〜２２のいずれか記載の構成において、前記加圧貯留手段は、内燃機関の始動時に、前記燃料ポンプを予め駆動させることにより、前記燃料ポンプの供給燃料圧力を高めた後に前記遮断弁を開状態として前記貯留部位の液化ガス燃料を開放することを特徴とする。
【手続補正３４】
【補正対象書類名】明細書
【補正対象項目名】００６４
【補正方法】変更
【補正の内容】
【００６４】
請求項２４記載の液化ガス燃料供給装置では、請求項２３記載の構成に対して、前記燃料ポンプの供給燃料圧力を検出する供給燃料圧力検出手段を備え、前記加圧貯留手段は、内燃機関の始動時に、前記燃料ポンプを予め駆動させることで前記供給燃料圧力検出手段により検出される燃料圧力が前記貯留圧力に到達した後に前記遮断弁を開状態として前記貯留部位の液化ガス燃料を開放することを特徴とする。
【手続補正３５】
【補正対象書類名】明細書
【補正対象項目名】００６６
【補正方法】変更
【補正の内容】
【００６６】
請求項２５記載の液化ガス燃料供給装置では、請求項２３記載の構成に対して、前記貯留部位の燃料圧力を検出する貯留燃料圧力検出手段を備え、前記加圧貯留手段は、内燃機関の始動時に、前記燃料ポンプを予め駆動させることで前記貯留燃料圧力検出手段により検出される燃料圧力が上昇した場合に前記遮断弁を開状態として前記貯留部位の液化ガス燃料を開放することを特徴とする。
【手続補正３６】
【補正対象書類名】明細書
【補正対象項目名】００６８
【補正方法】変更
【補正の内容】
【００６８】
請求項２６記載の液化ガス燃料供給装置では、請求項２３記載の構成に対して、前記燃料ポンプの供給燃料圧力を検出する供給燃料圧力検出手段と、前記貯留部位の燃料圧力を検出する貯留燃料圧力検出手段とを備え、前記加圧貯留手段は、内燃機関の始動時に、前記燃料ポンプを予め駆動させることで前記供給燃料圧力検出手段により検出される供給燃料圧力が前記貯留燃料圧力検出手段により検出される燃料圧力に到達した後に前記遮断弁を開状態として前記貯留部位の液化ガス燃料を開放することを特徴とする。
【手続補正３７】
【補正対象書類名】明細書
【補正対象項目名】００６９
【補正方法】変更
【補正の内容】
【００６９】
このように供給燃料圧力検出手段により検出される供給燃料圧力が貯留燃料圧力検出手段により検出される貯留部位の燃料圧力に到達したことにより、チェック弁が確実に押し開かれる状態となったことが判る。したがって、この後に遮断弁を開状態として貯留部位の液化ガス燃料を開放している。このため、燃料ポンプ側から貯留部位側へ、更に貯留部位側から燃料供給部位側への燃料の流れを一層円滑にすることができる。このことにより内燃機関の燃料供給部位への液化ガス燃料の供給が円滑に継続して行われるので、始動時において燃料供給部位の燃料圧力が迅速に昇圧し、早期に噴射燃料を正確に調量できるようになり、内燃機関の始動性を一層向上させることができる。
請求項２７記載の液化ガス燃料供給装置では、燃料タンク内の液化ガス燃料を燃料ポンプにより燃料供給経路を介して内燃機関の燃料供給部位へ液体状態で供給する液化ガス燃料供給装置であって、内燃機関の停止期間中は前記燃料供給経路から前記燃料供給部位までの一部又は全部を含んで設けられた貯留部位に液化ガス燃料を加圧液体状態で貯留しておき、前記貯留部位に貯留された燃料の圧力が所定圧力以上となった場合に前記貯留部位に貯留された燃料の一部を燃料タンクに排出することを特徴とする。
このように内燃機関停止中には、貯留部位に貯留された燃料の圧力が所定圧力以上となった場合には、貯留部位に貯留された燃料の一部を燃料タンクに排出することにより貯留部位が過剰な圧力となるのを防止している。
請求項２８記載の液化ガス燃料供給装置では、請求項２７記載の構成において、前記燃料供給経路に２つの遮断弁を備えて該２つの遮断弁間を前記貯留部位とし、内燃機関の停止時に、前記貯留部位に存在する液化ガス燃料が加圧液体状態にある時に前記２つの遮断弁を閉状態とすることで、前記貯留部位に液化ガス燃料を加圧液体状態で貯留することを特徴とする。
このようにして前記請求項１にて述べたごとく迅速に燃料供給部位の液体燃料を噴射可能な燃料圧力とすることができる。
請求項２９記載の液化ガス燃料供給装置では、請求項２８記載の構成において、内燃機関の停止時に、前記貯留部位の燃料上流側に配置された遮断弁を開状態とし前記貯留部位の燃料下流側に配置された遮断弁を閉状態として前記燃料ポンプの駆動を一時的に実行した後に前記貯留部位の燃料上流側に配置された遮断弁を閉じることで、前記貯留部位に液化ガス燃料を加圧液体状態で貯留することを特徴とする。
このようにして前記請求項３にて述べたごとく始動時においては、迅速に燃料供給部位の液体燃料を噴射可能な燃料圧力とすることができ、早期に正確な燃料調量が可能となるので、内燃機関の始動性を一層向上させることができる。
請求項３０記載の液化ガス燃料供給装置では、請求項２８記載の構成に対して、前記貯留部位の燃料圧力を検出する貯留燃料圧力検出手段を備え、内燃機関の停止時に、前記貯留部位の燃料上流側に配置された遮断弁を開状態とし前記貯留部位の燃料下流側に配置された遮断弁を閉状態として前記貯留燃料圧力検出手段にて検出される燃料圧力が貯留圧力に到達するまで前記燃料ポンプの駆動を実行した後に前記貯留部位の燃料上流側に配置された遮断弁を閉じることで、前記貯留部位に液化ガス燃料を加圧液体状態で貯留することを特徴とする。
このようにして前記請求項４にて述べたごとく始動時においては燃料供給部位の燃料圧力が一層迅速に昇圧し、早期に正確な燃料調量が可能となり、内燃機関の始動性を一層向上させることができる。
請求項３１記載の液化ガス燃料供給装置では、請求項２７記載の構成において、前記燃料供給経路に遮断弁を備え、前記燃料供給部位から前記燃料タンクに液化ガス燃料を戻すリターン経路にプレッシャレギュレータが設けられ、内燃機関の停止期間中は該遮断弁と該プレッシャレギュレータとの間を貯留部位とし、内燃機関の停止時に、前記貯留部位に存在する液化ガス燃料が加圧液体状態にある時に前記遮断弁を閉状態とすることで、前記貯留部位に液化ガス燃料を加圧液体状態で貯留することを特徴とする。
請求項３２記載の液化ガス燃料供給装置では、請求項３１記載の構成において、内燃機関の停止時に、前記遮断弁を開状態として前記燃料ポンプの駆動を一時的に実行した後に前記遮断弁を閉じることで、前記貯留部位に液化ガス燃料を加圧液体状態で貯留することを特徴とする。
請求項３３記載の液化ガス燃料供給装置では、請求項３１記載の構成に対して、前記貯留部位の燃料圧力を検出する貯留燃料圧力検出手段を備え、内燃機関の停止時に、前記遮断弁を開状態として前記貯留燃料圧力検出手段にて検出される燃料圧力が貯留圧力に到達するまで前記燃料ポンプの駆動を実行した後に前記遮断弁を閉じることで、前記貯留部位に液化ガス燃料を加圧液体状態で貯留することを特徴とする。
また、請求項３４記載の液化ガス燃料供給装置では、請求項２８〜３３のいずれか記載の構成において、内燃機関の始動時に、前記燃料ポンプを予め駆動させることにより前記燃料ポンプの供給燃料圧力を高めた後に全ての遮断弁を開状態として前記貯留部位の液化ガス燃料を開放することを特徴とする。
請求項３５記載の液化ガス燃料供給装置では、請求項３４記載の構成に対して、前記燃料ポンプの供給燃料圧力を検出する供給燃料圧力検出手段を備え、内燃機関の始動時に、前記燃料ポンプを予め駆動させることで前記供給燃料圧力検出手段により検出される燃料圧力が前記貯留圧力に到達した後に全ての遮断弁を開状態として前記貯留部位の液化ガス燃料を開放することを特徴とする。
請求項３６記載の液化ガス燃料供給装置では、請求項３４記載の構成に対して、前記燃料ポンプの供給燃料圧力を検出する供給燃料圧力検出手段と、前記貯留部位の燃料圧力を検出する貯留燃料圧力検出手段とを備え、内燃機関の始動時に、前記燃料ポンプを予め駆動させることで前記供給燃料圧力検出手段により検出される供給燃料圧力が前記貯留燃料圧力検出手段により検出される燃料圧力に到達した後に全ての遮断弁を開状態として前記貯留部位の液化ガス燃料を開放することを特徴とする。
このようにして前記請求項１２，１３，１４にて述べたごとく内燃機関の燃料供給部位への液化ガス燃料の供給が円滑に継続して行われるので、始動時において燃料供給部位の燃料圧力が迅速に昇圧し、早期に噴射燃料を正確に調量できるようになり、内燃機関の始動性を一層向上させることができる。